(57)【要約】【課題】航空機と船舶等、速度が大きく異なる目標を同時に監視する際に、自動追尾開始時における誤追尾による目標表示を抑制したレーダ装置を得る。【解決手段】追尾演算部１７でのスライディングウィンドウ処理中に行われる、今回のスキャンと直前のスキャンとでの目標の相関の有無の判定において、相関有りと判定された回数をスキャンの進行に沿ってカウントアップし、このカウント値を相関・連結成功回数として、目標の表示用の追尾情報としての目標レポートに含めて操作表示部１８に送出する。一方、複数の操作表示部１８ａ〜１８ｃにおいては、この相関・連結成功回数に対して、監視対象に合わせた最適なしきい値ｋｄｓｐがそれぞれに設定されており、受けとった目標レポートの中から、このしきい値ｋｄｓｐを超えた相関・連結成功回数を有するものを表示対象の目標レポートとして選択し、その目標を画面上にシンボル表示する。【選択図】  図１
2012118035.tif 000002
【特許請求の範囲】
【請求項１】
対象の覆域をスキャンしながらレーダ波を送信しその反射波を受信するレーダ送受信部と、
前記レーダ送受信部からの受信信号に基づき各スキャン毎に目標を検出しその位置情報を含む検出レポートを生成する目標検出部と、
複数回にわたる前記スキャンで取得した前記目標の検出レポートを用いてあらかじめ設定された所定のウィンドウ数によるスライディングウィンドウ処理に基づき前記目標の追尾を開始し前記目標の追尾位置情報を含む目標レポートを生成する追尾演算部と、
前記追尾演算部からの目標レポートに基づき前記目標をシンボル表示する表示部とを備えたレーダ装置において、
前記追尾演算部は、前記目標に対するスライディングウィンドウ処理における今回のスキャンと直前のスキャンとでの目標の相関の有無の判定において、相関有りと判定された回数をスキャンの時間経過に沿って順次加算計数した相関・連結成功回数を前記目標レポートに含めて生成し、
前記表示部は、あらかじめ設定された相関・連結成功回数のしきい値を超えた目標レポートを選択する目標レポート選択部を備え、この目標レポート選択部にて選択された目標レポートに基づき前記目標をシンボル表示する
ことを特徴とするレーダ装置。
【請求項２】
さらに前記表示部は、前記目標レポート選択部に設定される相関・連結成功回数のしきい値を受けつけて前記目標レポート選択部に転送する操作器を有することを特徴とする請求項１のレーダ装置。
【発明の詳細な説明】
【技術分野】
【０００１】
本発明の実施形態は、航空機と船舶等、速度が大きく異なる目標を同時に監視する際に、誤追尾による目標表示を抑制したレーダ装置に関する。
【背景技術】
【０００２】
目標を捜索し追尾する従来のレーダ装置の構成の一例を図６に示す。この図６に例示したレーダ装置は、レーダ送信波を発生する送信機１１、レーダ送信波をアンテナ１３に通過させるとともに、アンテナ１３で受信したレーダ受信波を受信機１４に通過させるサーキュレータ１２、レーダ送信波を空間に放射するとともに、その反射波としてのレーダ受信波を受信するアンテナ１３、レーダ受信波に対して増幅や周波数変換、フィルタリング等の受信処理後のビデオ信号を出力する受信機１４、ビデオ信号から目標を検出してその観測時刻及び観測距離を取得するとともに、これらに角度検出部１５の出力する目標検出時の観測角度等を含めた目標の検出レポートを作成し出力する目標検出部１６、検出レポートに基づいて目標の追尾を開始・継続し、目標毎に目標識別番号、平滑距離、平滑角度、観測位置等を含む目標レポートを生成して出力する追尾演算部６７、及び目標レポートに基づき目標をシンボル化したレーダ表示画面を表示編集部６８１にて編集し表示器６８２にグラフィカルに表示する複数（３個）の表示部６８ａ〜６８ｃから構成されている。そして、対象のレーダ覆域内を所定の周期でスキャンしながらレーダ送信波を放射し、その反射波を受信して目標を検出・捕捉し、新たな目標に対しては追尾を開始・継続することによって対象目標を監視している。
【０００３】
ここで、検出した目標に対して自動的に追尾を開始する際には、追尾演算部６７において、数スキャンにわたる検出レポートを用いて、例えば、スライディングウィンドウ処理等により真の目標であるか否かが判定される。図７は、このスライディングウィンドウ処理を説明するための図である。一般には、追尾を開始する前に行うスライディングウィンドウ処理においては、ウィンドウ幅を大きくとることにより、クラッタの残留成分等による誤追尾を減らすことができるが、新たな目標がレーダ覆域に入ってから追尾が開始されるまでの応答時間が遅くなることが知られている。観測回数と目標判定確率との関係の一例を図８に例示する。
【０００４】
この図８の事例では、スライディングウィンドウ処理におけるウィンドウ幅ｎと目標有りと判定するためのしきい値ｋとが２〜５で互いに等しい場合において、それぞれの検出確率が０．９の場合と０．２２の場合とを例示したものである。真に存在する目標の場合の検出確率を例えば０．９とし、誤検出による検出確率を例えば０．２２とすると、この図７からは、ウィンドウ幅ｎを小さくするほど追尾開始までの応答時間が短くなる一方、誤追尾を開始する確率も高くなることが読み取れる。従来のレーダ装置においては、装置の運用環境に合うように、このような追尾までの応答時間と誤追尾発生確率のバランスを取って、追尾演算部６７におけるスライディングウィンドウ処理のウィンドウ幅ｎを設定している。なお、スライディングウィンドウ処理については、図７、及び図８を含め、例えば非特許文献１等に詳述されている。
【先行技術文献】
【非特許文献】
【０００５】
【非特許文献１】「Radar Data Processing Vol.1」A.Farina & F.A.Studer, Research Studies Press LTD,1985、P.203  3.6項
【非特許文献２】「Radar Data Processing Vol.1」A.Farina & F.A.Studer, Research Studies Press LTD,1985、P.162  Table3.2
【発明の概要】
【発明が解決しようとする課題】
【０００６】
ところで、目標が覆域内に入ってから自動的に追尾が開始されるまでの応答時間については、種々の速度で移動する目標がある中で、特に高速で飛来する航空機が存在する環境において目標を監視する場合は、その間の飛行距離を考慮してできる限り短時間であることが望まれる。例えば、音速をはるかに超える航空機では、１０００ｍ／ｓ程度の速度を有するものも存在するが（例えば、（非特許文献２）参照）、例えばレーダ装置側のスキャン周期が１０秒、レーダ覆域の有効距離範囲が６０ｋｍの場合には、航空機がレーダ覆域に入ってから１スキャンあたり最大１０ｋｍ飛行し、３スキャンでは追尾開始までに有効距離範囲の最大５０％まで飛来することになって、目標監視の観点から不都合を生じるおそれがある。すなわち、上述したウィンドウ幅のｎは小さく設定されることが望ましい。
【０００７】
一方で、低速で移動する船舶などを監視する場合は、船舶の速度が例えば２０ｍ／ｓ程度であるとすると、目標の判定に対してより大きなウィンドウ幅を設定したとしても、例えば５スキャン程度であれば、その応答時間内における目標の移動は１００ｍ程度と、わずかである。また、誤追尾の発生については、ウィンドウ幅を小さく設定した場合はその発生確率が上昇するため、高速で飛来する航空機等に対してはその発生を許容するにしても、残留クラッタ成分の多い環境中を低速で移動する船舶等に対しては誤追尾の発生が多発する不都合を生じるおそれがあるので、ウィンドウ幅は誤追尾の発生を許容できる程度に大きく設定されることが望ましい。
【０００８】
しかしながら、種々の速度を有する目標を同時に監視する環境においては、このような追尾開始までの応答時間と誤追尾発生確率のバランスを取ってウィンドウ幅を設定するにしても、やはり高速な航空機等を優先させることになり、その場合は低速な船舶等に対しては誤検出や誤追尾の発生が許容範囲を超えて増加していた。その結果、表示部６８にはこのような誤追尾による誤まったシンボル表示が増加することになり、監視員の負担の増大を招いていた。
【０００９】
本発明の実施形態は、上述の事情を考慮してなされたものであり、航空機と船舶等、速度が大きく異なる目標を同時に監視する際に、自動追尾開始時における誤追尾による目標表示を抑制したレーダ装置を提供することを目的とする。
【課題を解決するための手段】
【００１０】
実施形態のレーダ装置は、対象の覆域をスキャンしながらレーダ波を送信しその反射波を受信するレーダ送受信部と、前記レーダ送受信部からの受信信号に基づき各スキャン毎に目標を検出しその位置情報を含む検出レポートを生成する目標検出部と、複数回にわたる前記スキャンで取得した前記目標の検出レポートを用いてあらかじめ設定された所定のウィンドウ数によるスライディングウィンドウ処理に基づき前記目標の追尾を開始し前記目標の追尾位置情報を含む目標レポートを生成する追尾演算部と、前記追尾演算部からの目標レポートに基づき前記目標をシンボル表示する表示部とを備えたレーダ装置において、前記追尾演算部は、前記目標に対するスライディングウィンドウ処理における今回のスキャンと直前のスキャンとでの目標の相関の有無の判定において、相関有りと判定された回数をスキャンの時間経過に沿って順次加算計数した相関・連結成功回数を前記目標レポートに含めて生成し、前記表示部は、あらかじめ設定された相関・連結成功回数のしきい値を超えた目標レポートを選択する目標レポート選択部を備え、この目標レポート選択部にて選択された目標レポートに基づき前記目標をシンボル表示することを特徴とする。
【図面の簡単な説明】
【００１１】
【図１】一実施形態のレーダ装置の構成の一例を示すブロック図。
【図２】スライディングウィンドウ処理による追尾開始の判定場面の一例をモデル化して示す図。
【図３】目標レポートの構成の一例を示す図。
【図４】相関・連結成功回数のしきい値ｋｄｓｐの差異による、観測回数と目標判定確率との関係の一例を示す図。
【図５】図１に例示したレーダ装置の動作を説明するためのフローチャート。
【図６】従来のレーダ装置の構成の一例を示すブロック図。
【図７】スライディングウィンドウ処理を説明するための説明図。
【図８】スライディングウィンドウ処理におけるウィンドウ幅、観測回数、及び目標判定確率との関係の一例を示す図。
【発明を実施するための形態】
【００１２】
以下に、本実施形態のレーダ装置について、図１乃至図５を参照して説明する。なお、以下においては、背景技術の欄で説明した構成部分に相当する部分には、背景技術の欄で使用した符号と同じ符号を用いて説明する。
【実施例】
【００１３】
図１は、一実施形態のレーダ装置の構成の一例を示すブロック図である。図１に例示したように、このレーダ装置は、送信機１１、サーキュレータ１２、アンテナ１３、受信機１４、角度検出部１５、目標検出部１６、追尾演算部１７、及び複数台（３台）の走査表示部１８ａ〜１８ｃから構成されている。送信機１１は、レーダ送信波を発生する。サーキュレータ１２は、送信機１１からのレーダ送信波をアンテナ１３に通過させるとともに、アンテナ１３で受信した受信波を受信機１４に通過させる。アンテナ１３は、レーダ送信波を空間に放射するとともに、その反射波としてのレーダ受信波を受信する。受信機１４は、アンテナ１３からのレーダ受信波をサーキュレータ１２経由で受けとり、このレーダ受信波に対して増幅、周波数変換、フィルタリング等の受信処理を施し、ビデオ信号にして出力する。角度検出部１５は、目標の観測角度を出力する。目標検出部１６は、受信機１４からのビデオ信号から目標の有無を検出するとともに、目標を検出した場合は、その観測時刻、観測距離、及び観測角度等を含む目標の検出レポートを作成し出力する。
【００１４】
追尾演算部１７は、あらかじめ設定されたウィンドウ幅に相当する複数スキャンにわたる目標検出部１６からの目標の検出レポートをスライディングウィンドウ処理して目標の追尾の開始を判定するとともに、このスライディングウィンドウ処理中に行われる、今回のスキャンと直前のスキャンとでの目標の相関の有無の判定において、相関有りと判定された回数をスキャンの進行に沿ってカウントアップし、このカウント値を相関・連結成功回数として目標レポートに含めて送出する。この追尾演算部１７でのスライディングウィンドウ処理による追尾開始の判定場面をモデル化して図２に例示する。図２の事例では、スライディングウィンドウ処理におけるウィンドウ幅ｎ、及び検出回数のしきい値ｍはいずれも２とした場合を例示している。スキャン番号Ｓで目標有りとの検出レポートを受け、次のスキャン番号Ｓ＋１で直前スキャンＳとの相関がとれ、追尾を開始する。これとあわせて、相関・連結成功回数は、目標を検出したスキャン番号Ｓで初期値の１が書き込まれ、その後相関の取れたスキャンにおいて順次１ずつカウントアップされる。
【００１５】
また、追尾演算部１７から出力される目標レポートの一例を図３に例示する。図３の事例では、追尾が開始された目標毎に付された識別番号、平滑距離、平滑角度等に加え、上記の相関・連結成功回数を含んだ形に構成されている。
【００１６】
操作表示部１８ａ〜１８ｃはいずれも同一に構成され、追尾演算部１７から送られてくる目標レポートの中から、あらかじめ設定されたしきい値ｋｄｓｐを超えた相関・連結成功回数を有する目標レポートを選択してこれを表示の対象とするとともに、この選択された目標レポートに基づいて目標を画面上にシンボル表示する。ここに、それぞれの操作表示部１８は、目標レポート選択部１８１、操作器１８２、表示編集部６８１、及び表示器６８２を有している。目標レポート選択部１８１は、追尾演算部１７から送られてくる目標レポートの中から、相関・連結成功回数があらかじめ設定されたしきい値をｋｄｓｐ超えた目標レポートを選択する。操作器１８２は、操作員等により入力される相関・連結成功回数のしきい値ｋｄｓｐを受けつけて目標レポート選択部１８２に転送する。本実施例においては、この操作器１８２から転送されたしきい値ｋｄｓｐが目標レポート選択部１８１に設定されるものとしている。表示編集部６８１は、目標レポート選択部１８１で選択された目標レポートに基づき目標をシンボル表示するためのレーダ画面を編集する。表示器６８２は、この編集されたレーダ画面を表示する。
【００１７】
ここで、操作器１８２により設定される相関・連結成功回数のしきい値ｋｄｓｐの差異による、観測回数と目標判定確率との関係の一例を図４に例示する。
【００１８】
この図４の事例では、追尾演算部１７でのスライディングウィンドウ処理（図２）においては、ウィンドウ幅ｎ及び検出回数のしきい値ｍをそれぞれ２とし、操作表示部１８の目標レポート選択部１８１に設定される相関・連結成功回数のしきい値ｋｄｓｐは、２及び５の場合をそれぞれ例示している。この図４において、検出確率０．９のプロットを、真の目標の追尾を開始したことによるシンボル表示、また検出確率０．２２のプロットを誤追尾によるシンボル表示とすると、しきい値ｋｄｓｐを大きくすることにより、初探知された目標が表示器６８２に表示されるまでの応答時間は長くなるものの、誤追尾によるシンボル表示は大幅に抑制することができることが読み取れる。すなわち、監視対象に合わせた最適な目標表示条件を設定することができる。従ってこの事例では、しきい値ｋｄｓｐ＝２は、例えば航空機等の高速の目標を、またしきい値ｋｄｓｐ＝５は、例えば船舶等の低速な目標をそれぞれ監視する場合に適用することによって、特に厳しいクラッタ環境中にある低速の船舶等の監視に際して誤追尾を大幅に抑制でき、監視員等の負担を軽減することができる。
【００１９】
次に、前出の図１乃至図４、ならびに図５のフローチャートを参照して、上述のように構成された本実施形態のレーダ装置の動作について説明する。なお、以下の説明においては、追尾演算部１７でのスライディングウィンドウ処理におけるウィンドウ幅ｎは、例えば高速の航空機等を対象に２とし、操作表示部１８内で設定される相関・連結成功回数のしきい値ｋｄｓｐは、例えば２、または５とした場合について説明する。図５は、このレーダ装置の動作を説明するためのフローチャートである。
【００２０】
レーダ装置の動作が開始されると、監視員等の入力操作により、まず複数の操作表示部１８ａ〜１８ｃのそれぞれの操作器１８２から、相関・連結成功回数のしきい値ｋｄｓｐが入力されて目標レポート選択部１８１に送られ、各表示操作部１８ａ〜１８ｃ毎にしきい値ｋｄｓｐが設定される（ＳＴ５０１）。次いで、アンテナ１３をレーダ覆域に走査しながら送信機１１及び受信機１４によりレーダ信号の送受信が繰り返され、その受信信号が受信処理されて順次目標検出部１６に送られる（ＳＴ５０２）。目標検出部１６では、この受信処理後の信号から目標を検出する。目標が検出されると、各スキャンに対応させて検出レポートが生成され、目標検出部１６から追尾演算部１７に送出される（ＳＴ５０３）。
【００２１】
次いで、追尾演算部１７では、目標検出部１６から送られてきた目標の検出レポートを用いてスライディングウィンドウ処理を行う。このスライディングウィンドウ処理においては、対象の目標位置に対する直前のスキャンと今回のスキャンとでの相関の有無が判定され、その結果により追尾開始が判定される。図２を参照して、例えば今回のスキャン番号がＳとすると、受けとった検出レポートの目標は初探知のものであり、次回のスキャンでの判定のための準備がなされる。また今回のスキャン番号がＳ＋１とすると、直前のスキャン番号Ｓとの相関がある場合には追尾開始の判定がなされる。また今回のスキャンがＳ＋２とし、同様に直前のスキャンであるＳ＋１との相関があれば、開始された追尾が継続されることになる（ＳＴ５０４）。
【００２２】
さらに追尾演算部１７においては、目標が検出されたスキャン番号Ｓで相関・連結成功回数の初期値として１が書き込まれ、その後スキャンの経過に沿って、直前のスキャンとの相関があればこの相関・連結成功回数が１ずつカウントアップされる（ＳＴ５０５）。そして、追尾が開始された目標毎に、図３に例示したように、この相関・連結成功回数を含んだ目標レポートが生成され、複数（３台）設けられた操作表示部１８ａ〜１８ｃに送出される（ＳＴ５０６）。
【００２３】
次いで、各操作表示部１８ａ〜１８ｃでは、追尾演算部１７からの目標レポートは目標レポート選択部１８１に送られて、この目標レポート中から相関・連結成功回数が抽出され、ＳＴ５０１の動作ステップで設定されたしきい値ｋｄｓｐと比較される。そして、相関・連結成功回数がしきい値ｋｄｓｐ以上の場合には、この目標レポートは表示対象の目標レポートとして目標レポート選択部１８１から表示編集部６８１に送られ、この目標をシンボル表示するためのレーダ画面が編集されて表示器６８２上に表示される。一方、相関・連結成功回数がしきい値ｋｄｓｐ未満の場合には表示の対象にはならず、目標レポートは後段には送られない（ＳＴ５０７）。
【００２４】
ここで、例えばＳＴ５０１の動作ステップにおいて設定されたしきい値ｋｄｓｐが、ｋｄｓｐ＝２の場合は、図２の事例では、スキャン番号Ｓで検出された目標は、スキャン番号Ｓ＋１に対応した処理タイミングで追尾開始が判定されるとともに、表示器６８２にシンボル表示され、短い応答時間を確保している。また、しきい値ｋｄｓｐとしてｋｄｓｐ＝５が設定された場合には、同様にスキャン番号Ｓ＋１に対応した処理タイミングで追尾開始の判定がなされるが、表示器６８２にシンボル表示されるのは、さらに相関・連結成功回数がカウントアップされて５となった、スキャン番号Ｓ＋４に対応した処理タイミングとなる。すなわち、図４を参照して判断されるように、目標の誤追尾開始によるシンボル表示を抑制することができる（ＳＴ５０８）。そして、この後は、動作終了が指示されるまで覆域内のスキャンが継続され、上述した動作ステップが繰り返される（ＳＴ５０９）。
【００２５】
以上説明したように、本実施例のレーダ装置においては、目標検出部１６で検出した各スキャン毎の目標の検出レポートに対して追尾演算部１７において所定のウィンドウ幅のスライディングウィンドウ処理を実施して目標の追尾の開始及び継続を判定するとともに、このスライディングウィンドウ処理中に行われる、今回のスキャンと直前のスキャンとでの目標の相関の有無の判定において、相関有りと判定された回数をスキャンの進行に沿ってカウントアップし、このカウント値を相関・連結成功回数として、目標の表示用の追尾情報としての目標レポートに含めて後段の操作表示部１８に送出している。一方複数の操作表示部１８ａ〜１８ｃにおいては、この相関・連結成功回数に対しての、監視対象に合わせた最適なしきい値ｋｄｓｐがそれぞれに設定されており、追尾対象として送られてきた目標レポートの中から、このしきい値ｋｄｓｐを超えた相関・連結成功回数を有するものを表示対象の目標レポートとして選択し、その目標を画面上にシンボル表示している。
【００２６】
これにより、追尾演算部１７において、誤追尾の確率が十分に低減されないまま短い応答時間で追尾開始の判定がなされても、操作表示部１８ａ〜１８ｃのそれぞれにおいて、しきい値ｋｄｓｐを監視対象に合わせた目標表示条件に設定し、誤追尾が開始された目標の表示を抑えることができる。すなわち、例えば船舶等の低速な目標を監視対象にする場合には、上記事例ではしきい値ｋｄｓｐを例えばｋｄｓｐ＝５に設定することにより、誤追尾による目標のシンボル表示を大幅に抑えることができる。従って、航空機と船舶等、速度が大きく異なる目標を同時に監視する際に、自動追尾開始時における誤追尾による目標表示を抑制することができ、監視員等の負担も軽減することができる。
【００２７】
なお、本実施形態は、上述したそのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００２８】
１１  送信機
１２  サーキュレータ
１３  アンテナ
１４  受信機
１５  角度検出部
１６  目標検出部
１７、６７  追尾演算部
１８  操作表示部
６８  表示部
１８１  目標レポート選択部
１８２  操作器
６８１  表示編集部
６８２  表示器
【図１】
2012118035.tif 000003
【図２】
2012118035.tif 000004
【図３】
2012118035.tif 000005
【図４】
2012118035.tif 000006
【図５】
2012118035.tif 000007
【図６】
2012118035.tif 000008
【図７】
2012118035.tif 000009
【図８】
2012118035.tif 000010